(57)【特許請求の範囲】
【請求項１】
（Ａ）芳香族ビニル化合物単位からなるブロックと（Ｂ）ジエン化合物単位からなるブロックとから構成されたブロック共重合体及び／又はその水素化物からなり、（Ａ）ブロックがスチレン単位からなり、かつ（Ｂ）ブロックがランダムに結合したイソプレン単位とブタジエン単位とを必須構成単位とする低硫黄軽油用添加剤。
【請求項２】
（ａ）（Ａ）芳香族ビニル化合物単位からなるブロックと（Ｂ）ジエン化合物単位からなるブロックとから構成されたブロック共重合体及び／又はその水素化物からなる請求項１に記載の低硫黄軽油用添加剤１〜９９重量％と、（ｂ）ポリオキシアルキレングリコール部と鎖状アルキル部を必須構成成分とする化合物９９〜１重量％とからなる低硫黄軽油用添加剤。
【請求項３】
（Ａ）ブロックと（Ｂ）ブロックとから構成されたブロック共重合体が、Ａ−（Ｂ−Ａ)n型又は（Ａ−Ｂ)n+1型（ｎは１以上の整数）ブロック共重合体である請求項１又は２記載の低硫黄軽油用添加剤。
【請求項４】
ブロック共重合体及びその水素化物の数平均分子量が、３０００〜１０００００である請求項１又は２記載の低硫黄軽油用添加剤。
【請求項５】
硫黄分含有量が０．２重量％以下の低硫黄軽油中に、請求項１〜４のいずれかに記載の低硫黄軽油用添加剤を、組成物全量に基づき、１〜１００００重量ｐｐｍの割合で含有させたことを特徴とする燃料油組成物。
【請求項６】
低硫黄軽油が、硫黄分含有量０.０５重量％以下のものである請求項５記載の燃料油組成物。
【請求項７】
低硫黄軽油が、ｎ−パラフィン析出率０.１〜０.７重量％／℃のものである請求項５記載の燃料油組成物。
【発明の詳細な説明】
【０００１】
【発明の属する技術分野】
本発明は低硫黄軽油用添加剤及び燃料油組成物に関する。さらに詳しくは、本発明は低硫黄軽油の低温特性及び潤滑性を向上させるとともに、該軽油に対する溶解性に優れた低硫黄軽油用添加剤、及びこれを低硫黄軽油に含有させてなる燃料油組成物に関するものである。
【０００２】
【従来の技術】
近年、石油から得られる各種石油製品、特に燃料油は、各種産業の発展やモータリーゼーションの進展に欠くことのできないものとして、大量に使用されている。
しかしながら、この燃料油の中でも代表的な軽油においては、冬期など外気温が低下する時期には、その中に含まれているｎ−パラフィンが析出し、自動車などの燃料油移送ライン系フィルターの目詰まりを生じさせたり、ラインそのものを閉塞させ、例えばディーゼルエンジンの円滑な運転に支障をきたしたり、場合によってはディーゼルエンジンが停止するなど、その低温特性について問題を有している。
【０００３】
このような問題を解決するために、これまで種々の燃料油添加剤が提案されているが、いずれも必ずしも充分に満足しうるものではなかった。例えばエチレン−プロピレン共重合体（特公昭６０−３５３９６号公報，特開昭６０−１３７９９７号公報）、エチレン−酢酸ビニル共重合体（米国特許第２０４８４７９号明細書，特開昭５５−１３７１９３号公報）などのエチレン含有共重合体型添加剤が提案されているが、これらの添加剤は、軽油に対して流動点（Pour Point)(ＰＰ）を下げる効果を有するものの、目詰まり点（Cold Filter Plugging Point)(ＣＦＰＰ）を下げることはできない。
【０００４】
また、目詰まり点を下げるために、例えばアルケニルコハク酸アミド（特開昭５６−４３３９１号公報）やポリオキシアルキレンエステル（特開昭５７−１７７０９２号公報，米国特許第４４６４１８２号明細書）などの比較的低分子型の添加剤、エチレン−酢酸ビニル共重合体とアルケニルコハク酸アルキルエステルとの組合せなどの併用型添加剤（英国特許第２１２９０１２号明細書）などが開示されている。しかしながら、これらの添加剤も、軽油に対して流動点を下げる効果は有するものの、目詰まり点を下げる効果が充分ではなかったり、燃料油に対する溶解性が劣るなどの欠点を有している。
【０００５】
一方、近年、トラック輸送の増大に伴い、軽油中に含まれる硫黄分が、環境問題の原因物質の一つとして大きく取り上げられるようになってきた。米国においては、カリフォルニアなど環境問題に厳しい地域では、すでに「ディーゼルエンジンからの排気ガス中における汚染物質（ＳＯx ，ＮＯx ，粉塵及び煙）の放出に関与する軽油中の硫黄分について、その含有量を0.０５重量％以下に制限する」という規制が採用されており、この傾向は全世界に広がっている。
【０００６】
例えば、日本では、１９８９年の中央公害対策審議会の答申で、自動車から排出されるＮＯx を短期的（１９９３年〜１９９４年）に２０〜３５重量％、長期的（１０年以内）には４０〜６０重量％削減することが要請されている。このＮＯx を削減する新技術の導入のためには、硫黄分の削減も不可欠である。このため、軽油中の硫黄分を１９９２年に0.２重量％以下、さらに１９９７年に0.０５重量％以下に段階的に低減することが決まり、すでに実施されている。
軽油中の硫黄分の低減は、石油精製における接触水素化処理により生産されている水素化脱硫軽油，水素化分解軽油などの利用により行われている。特に、水素化分解軽油は硫黄分含有量が低いため、その利用割合が増加してきている。
【０００７】
このような低硫黄軽油は、相対的に長鎖のｎ−パラフィンを多量に含んでいることから、軽油中でのｎ−パラフィンの析出温度が高くなって、曇り点（Cloud Point)（ＣＰ）が高くなり、かつ析出するｎ−パラフィン量が相対的に多くなる。その結果、自動車などの燃料油移送ライン系フィルターの目詰まりを起こしたり、ラインそのものを閉塞させるなどのトラブルを生じる可能性が高くなってきている。
また、低硫黄軽油においては、通常軽油の潤滑性が低下しており、それによってディーゼルエンジンのインジェクション装置のポンプやノズルなどの部品が損傷を受けやすいなどの問題が生じている。
このような問題を解決するために、前述の従来知られている燃料油添加剤を配合しても、低温特性と潤滑性の両方を同時に効果的に改善することはできない。
【０００８】
【発明が解決しようとする課題】
本発明は、このような状況下で、上述したような環境規制に対応した低硫黄軽油の低温特性の改善、すなわち目詰まり点や流動点を下げるとともに、その潤滑性を高め、しかも低硫黄軽油に対する溶解性に優れた低硫黄軽油用添加剤、及びこれを含有する燃料油組成物を提供することを目的とするものである。
【０００９】
【課題を解決するための手段】
本発明者らは、前記目的を達成するために鋭意研究を重ねた結果、特定のブロック共重合体やその水素化物、あるいは所定の割合の上記ブロック共重合体やその水素化物とポリオキシアルキレングリコール部を有する特定の化合物とからなるものが、低硫黄軽油用添加剤として、その目的に適合しうることを見出した。本発明は、かかる知見に基づいて完成したものである。
【００１０】
すなわち、本発明は
（１）（Ａ）芳香族ビニル化合物単位からなるブロックと（Ｂ）ジエン化合物単位からなるブロックとから構成されたブロック共重合体及び／又はその水素化物からなる低硫黄軽油用添加剤（以下、低硫黄軽油用添加剤Ｉと称する。）、
（２）（ａ）（Ａ）芳香族ビニル化合物単位からなるブロックと（Ｂ）ジエン化合物単位からなるブロックとから構成されたブロック共重合体及び／又はその水素化物１〜９９重量％と、（ｂ）ポリオキシアルキレングリコール部と鎖状アルキル部を必須構成成分とする化合物９９〜１重量％とからなる低硫黄軽油用添加剤（以下、低硫黄軽油用添加剤IIと称する。）、及び
（３）硫黄分含有量が0.２重量％以下の低硫黄軽油中に、上記低硫黄軽油用添加剤Ｉ又はIIを、組成物全量に基づき、１〜１００００重量ｐｐｍの割合で含有させたことを特徴とする燃料油組成物、
を提供するものである。
【００１１】
【発明の実施の形態】
本発明の低硫黄軽油用添加剤Ｉとして、あるいは低硫黄軽油用添加剤IIにおける（ａ）成分としては、ブロック共重合体及び／又はその水素化物が用いられる。
上記ブロック共重合体は、（Ａ）芳香族ビニル化合物単位からなるブロックと（Ｂ）ジエン化合物単位からなるブロックとから構成されたものであって、該（Ａ）ブロックの形成に用いられる単量体の芳香族ビニル化合物としては、例えばスチレン，α−メチルスチレン，ビニルナフタレン，３−メチルスチレン，４−プロピルスチレン，４−シクロヘキシルスチレン，４−ドデシルスチレン，２−エチル−４−ベンジルスチレン，アセナフチレン，ビニルオクチルベンゼンなどが挙げられるが、これらの中で特にスチレンが好ましい。
【００１２】
一方、（Ｂ）ブロックの形成に用いられる単量体のジエン化合物としては、例えばブタジエン；２−メチル−１，３−ブタジエン（イソプレン）；１，３−ペンタジエン；２−メチル−１，３−ペンタジエンなどが挙げられるが、これらの中でブタジエン及びイソプレンが好ましく、特にブタジエンとイソプレンとの混合物を必須単量体とするものが好ましい。
このブロック共重合体としては、前記の芳香族ビニル化合物単位からなる（Ａ）ブロックとジエン化合物単位からなる（Ｂ）ブロックが、Ａ−（Ｂ−Ａ)n 型又は（Ａ−Ｂ)n+1 型（ｎは１以上の整数、好ましくは１０以下である。）を形成しているブロック共重合体を挙げることができ、特にＡ−Ｂ−Ａ型のブロック共重合体が好適である。
【００１３】
本発明におけるブロック共重合体としては、例えばスチレン／ブタジエンブロック共重合体，スチレン／イソプレンブロック共重合体，スチレン／（イソプレン／ブタジエン）ブロック共重合体，スチレン／ペンタジエンブロック共重合体，ビニルナフタレン／ブタジエンブロック共重合体，アセナフチレン／ブタジエンブロック共重合体，ビニルオクチルベンゼン／ブタジエンブロック共重合体など、及びそれらの水素化物が挙げられるが、これらの中で、特にスチレン／ブタジエン／イソプレンブロック共重合体の水素化物が好ましい。
【００１４】
水素化前の前記ブロック共重合体の製造方法としては、特に制限はなく、アニオン重合法などの従来公知の方法によることができる。例えば、アルキルリチウム触媒の存在下、まず芳香族ビニル化合物を重合させた後、ジエン化合物をブロックに重合させる方法、あるいは芳香族ビニル化合物の重合体とジエン化合物の重合体を別々に製造した後、これらの重合体ブロックを適当な方法で結合させる方法などにより、所望のブロック共重合体を製造することができる。それぞれの重合体ブロックにおいて、二種以上の単量体を用いた場合には、各単量体単位の結合様式としては特に制限はなく、ブロック状，ランダム状のいずれであってもよい。
【００１５】
ジエン化合物単位からなる（Ｂ）ブロックとしては、前記したように、単量体としてブタジエンとイソプレンとの混合物を用いるのが好ましく、この場合には、ブタジエン単位とイソプレン単位の結合様式はランダム状となる。
また、このようにして得られたブロック共重合体の水素化物の製造方法としては、特に制限はなく、従来公知の方法によることができる。例えば不活性溶媒中において、水素化触媒の存在下、上記ブロック共重合体を分子状水素で水素化する方法などにより、該ブロック共重合体の水素化物を容易に製造することができる。
【００１６】
上記ブロック共重合体やその水素化物の数平均分子量については、特に制限はないが、１０００〜３０００００の範囲にあるものが好ましく、特に３０００〜１０００００の範囲にあるものが好適である。なお、この数平均分子量は、ゲルパーミエーションクロマトグラフィー（ＧＰＣ）により、ポリスチレン換算で測定した値である。
本発明の添加剤Ｉにおいて、又は添加剤IIの（ａ）成分においては、このブロック共重合体やその水素化物は、単独で用いてもよく、二種以上を組み合わせて用いてもよい。
【００１７】
本発明の低硫黄軽油用添加剤IIにおいては、（ｂ）成分として、ポリオキシアルキレングリコール部と鎖状アルキル部を必須構成成分とする化合物が用いられる。このような化合物としては、例えば（１）ポリオキシアルキレングリコール部を含有する含窒素化合物と飽和，不飽和の直鎖状及び／又は分岐状脂肪酸とから得られた部分エステル化物，完全エステル化物又はその塩、（２）ポリオキシアルキレングリコール部を含有する含窒素化合物と飽和，不飽和の直鎖状及び／又は分岐状脂肪酸と架橋剤とから得られた部分架橋エステル化物又は完全架橋エステル化物、（３）ポリオキシアルキレングリコールと飽和，不飽和の直鎖状及び／又は分岐状脂肪酸とから得られたエステル化物、（４）ポリオキシアルキレングリコール部を含有する多価アルコールと飽和，不飽和の直鎖状及び／又は分岐状脂肪酸とから得られた部分エステル化物又は完全エステル化物、（５）ポリオキシアルキレングリコール部を含有する多価アルコールと飽和，不飽和の直鎖状又は分岐状脂肪酸と架橋剤とから得られた部分架橋エステル化物又は完全架橋エステル化物、（６）ポリアルキレンポリアミンと飽和，不飽和の直鎖状及び／又は分岐状脂肪酸のアミド化合物のアルキレンオキシド付加物、（７）ポリアルキレンポリアミンと飽和，不飽和の直鎖状及び／又は分岐状脂肪酸のアミド化物のアルキレンオキシド付加物と架橋剤とから得られた部分架橋エステル化物又は完全架橋エステル化物、（８）ポリオキシアルキレングリコール部を含有する含硫黄化合物と飽和，不飽和の直鎖状又は分岐状脂肪酸とから得られた部分エステル化物又は完全エステル化物、（９）リン酸又は亜リン酸のアルキレンオキシド付加物と飽和，不飽和の直鎖状及び／又は分岐状脂肪酸とから得られたエステル化物などが挙げられる。これらの化合物は一種用いてもよく、二種以上を組み合わせて用いてもよい。
【００１８】
この（ｂ）成分の化合物として、上記（１），（２），（６）及び（７）などの含窒素化合物を使用すると、（ａ）成分との併用による低温特性、特に目詰まり点の改善効果及び潤滑性改善効果がより大きく、一層好ましい。
本発明の低硫黄軽油用添加剤IIにおいては、前記（ａ）成分と（ｂ）成分の割合は、重量比で９９：１〜１：９９であるが、低温特性及び潤滑性の改善効果がより大きく発揮される点から、１０：１〜１：５の範囲が好ましい。
【００１９】
本発明の燃料油組成物においては、燃料油として、硫黄分規制に対応するために、極度の水素化により精製された低硫黄分の軽油が挙げられる。ここで、軽油とは、石油精製における沸点範囲が１３０〜４５０℃の範囲、好ましくは１５０〜３８０℃の範囲の燃料油である。また、低硫黄軽油としては、硫黄分含有量が0.２重量％以下、好ましくは0.０５重量％以下、より好ましくは0.０３重量％以下に低減された軽油を挙げることができる。
【００２０】
このような低硫黄軽油は、通常直留軽油，水素化直接脱硫軽油，水素化間接脱硫軽油，水素化分解軽油，水素化脱硫重質軽油，脱硫灯油などを混合して調製することができる。
本発明の燃料油組成物においては、前記の低硫黄軽油用添加剤Ｉ又はIIは、低硫黄軽油中に、組成物全量に基づき１〜１００００重量ｐｐｍの割合で含有される。この量が１重量ｐｐｍ未満では低温特性及び潤滑性の改善効果が充分に発揮されず、また１００００重量ｐｐｍを超えるとその量の割には効果の向上が認められず、むしろ経済的に不利となる。低温特性と潤滑性の改善効果及び経済性などを考慮すると、この低硫黄軽油用添加剤の好ましい含有量は、組成物全量に基づき、１０〜５００重量ｐｐｍの範囲である。
【００２１】
本発明の燃料油組成物の調製方法については、特に制限はなく、前記低硫黄軽油用添加剤Ｉ又はIIを単に軽油に添加することにより調製することができるが、低硫黄軽油と相溶性のある有機溶剤に溶かした濃厚溶液の形態で添加することにより、調製が容易となる。このような有機溶剤としては、例えばナフサ，灯油，軽油などの石油留分，芳香族炭化水素，パラフィン系炭化水素などが挙げられる。有機溶剤で希釈して用いる場合には、添加剤を好ましくは２０〜８０重量％、より好ましくは３５〜７５重量％の割合で含有する溶液を用いるのが有利である。
【００２２】
本発明の燃料油組成物には、前記低硫黄軽油用添加剤Ｉ又はIIと共に、所望により従来燃料油の添加剤として慣用されている各種添加剤、例えば、曇点降下剤，流動性向上剤，防錆剤，酸化防止剤，セタン価向上剤，金属不活性化剤，清浄分散剤，燃焼性向上剤，黒煙減少剤，消泡剤，色相安定剤，氷結防止剤，スラッジ分散剤，マーカーなどを含有させることができる。
【００２３】
【実施例】
次に、本発明を実施例によりさらに詳しく説明するが、本発明はこれらの例によって何ら限定されるものではない。
なお、実施例及び比較例で得られた燃料油組成物の性能は、下記の要領に従って求め、評価した。
（１）目詰まり点
ＪＩＳ  Ｋ−２２８８に準拠して測定した。
（２）曇り点
ＪＩＳ  Ｋ−２２６９に準拠して測定した。
（３）流動点
ＪＩＳ  Ｋ−２２６９に準拠し、１℃間隔で測定した。
（４）添加剤の燃料油に対する溶解性
１００ミリリットルのビーカーに試料油５０ミリリットルを入れ、攪拌しながら５℃に冷却する。この試料油に、添加剤の１０重量％キシレン溶液５０ミリリットルを、５０℃に加熱した状態で添加し、この際の溶解状態を目視にて観察して、次の基準に従い評価した。
○：析出物なし，△：白濁あり，×：析出物あり
（５）潤滑性
潤滑摩耗試験機として、振動摩擦摩耗試験機（ＨＦＲＲ試験機）を用い、試験体として、ＰＣＳインスツルメンツ社製の径１０ｍｍ、厚さ3.０ｍｍディスク及び径６ｍｍのベアリングボールを使用し、下記の条件で燃料油組成物の潤滑性を評価した。
【００２４】
試験機：ＰＣＳインスツルメンツ社製ＨＦＲ２（Ver.3.０）
試験体材質：ディスク、ボール共にスティールＡＩＳＩ  Ｅ−５２１００
温度（℃）：８０±２，                  振幅（ｍｍ）：1.０±0.０３
試料量（ｍｌ）：2.０±0.２０，          運転時間（分）：７５±0.１
荷重（ｇ）：２００±１，                振動数（Ｈｚ）：５０±１
試料浴の表面積（ｃｍ2 ）：６±１
顕微鏡観察により、上部ボールの摩耗痕の振動方向と直交方向の直径を測定し、摩耗痕の平均径を求め、さらに摩耗痕の形状により下記の４段階に分類し、摩耗痕の平均径と形状を摩耗痕の総合評価として、第１表に示す基準で評価した。
摩耗痕の形状                                ランク
振動方向へ浅い線条痕のみがみられる      ：    （イ）
一部深い線条痕がみられる                ：    （ロ）
一部凝集摩耗やアブレシブ摩耗がみられる  ：    （ハ）
全域に凝集摩耗やアブレシブ摩耗がみられる：    （ニ）
【００２５】
【表１】
0003985306.tif 000002
【００２６】
製造例１  ブロック共重合体水素化物（ＡＢ−１）の製造
攪拌装置及び滴下ロートを備えた耐圧反応容器に、シクロヘキサン５００重量部及びｓｅｃ−ブチルリチウム１１重量部を仕込み、５０℃に昇温した。これに、滴下ロートよりスチレン６０重量部を連続的に仕込み、次いで、イソプレン２８０重量部を連続的に仕込み、その後スチレン６０重量部を仕込んで８時間重合を行った。
次に、反応系を水素で置換し、ケイソウ土担持ニッケル触媒２５重量部を加えて１５ｋｇ／ｃｍ2 の水素圧を保ちながら、１５０℃で１０時間反応させた。次いで、反応生成物をシクロヘキサンで希釈し、触媒を濾別した後、濾液を減圧下で濃縮乾燥してブロック共重合体水素化物（ＡＢ−１）を得た。
このものは、核磁気共鳴（ＮＭＲ）分析により、スチレン／イソプレン／スチレン三元ブロック共重合体の水素化物であり、スチレン単位の含有量は３０重量％であることが確認された。また、ゲルパーミエーションクロマトグラフィー（ＧＰＣ）分析により、ポリスチレン換算の数平均分子量（以下、Ｍｎという）は５００００であり、ヨウ素価分析により求めた水素化率は９６モル％であった。
【００２７】
製造例２〜８
製造例１の方法に準じて、ブロック共重合体又はその水素化物ＡＢ−２〜ＡＢ−８を製造した。その性状を第２表に示す。
【００２８】
【表２】
0003985306.tif 000003
【００２９】
（注）水素化前共重合体の化学構造
Ｓ：スチレン重合体ブロック
Ｉ：イソプレン重合体ブロック
Ｂ：ブタジエン重合体ブロック
ＩＢ：イソプレン／ブタジエン共重合体ブロック
【００３０】
【表３】
0003985306.tif 000004
【００３１】
（注）水素化前共重合体の化学構造
Ｖ：ビニルナフタレン重合体ブロック
Ｍ：α−メチルスチレン重合体ブロック
Ｐ：ペンタジエン重合体ブロック
【００３２】
実施例１〜１４
第３表に示す性状を有する燃料油Ａ又はＢに対し、第５表に示す種類と量（組成物全量に対する重量ｐｐｍである。）のブロック共重合体又はその水素化物（製造例で得られたもの）及び第５表に示す種類と量（組成物全量に対する重量ｐｐｍである。）の燃料油添加剤（第４表に性状を示す。）を添加して、燃料油組成物を調製した。その性能の評価結果を第５表に示す。
【００３３】
比較例１〜９
第３表に示す性状を有する燃料油Ａ又はＢに対し、第５表に示す種類と量（組成物全量に対する重量ｐｐｍである。）の燃料油添加剤（第４表に性状を示す。）を添加して、燃料油組成物を調製した。その性能の評価結果を第５表に示す。
【００３４】
【表４】
0003985306.tif 000005
【００３５】
注１）ＪＩＳ  Ｋ−２２４９に準拠して測定
２）ＪＩＳ  Ｋ−２２８３に準拠して測定
３）ＪＩＳ  Ｋ−２２５４に準拠して測定
４）ＪＩＳ  Ｋ−２２４１に準拠して測定
５）ｎ−パラフィン析出率は下記の方法により測定した。
試料油４０ｇをメスフラスコに入れ活栓をし、グラスフィルター（３Ｇ−１）を備えた吸引瓶を設置したコントローラー付き冷却バスに浸す。室温から冷却速度１℃／ｈｒで所定温度まで徐冷した後、冷却バス内で同温度に冷却した窒素ガスでシールする。次いで、１０ｍｍＨｇの減圧度でグラスフィルター内に敷いたろ紙により吸引濾過を行い、析出ｎ−パラフィンを濾別する。同温度に冷却したアセトンで充分に洗浄した後、減圧乾燥してｎ−パラフィン析出量を秤量し、試料油に対する重量百分率を求める。曇り点以下数点においてこの作業を繰り返し、１℃当たりのｎ−パラフィン析出率を最小二乗法により直線近似して算出し、ｎ−パラフィン析出率（重量％／℃）とする。
【００３６】
【表５】
0003985306.tif 000006
【００３７】
（注）
（１）（  ）内の数値は仕込みモル数を表す。
（２）エステル化度は、水酸基価（ｍｇＫＯＨ／ｇ）測定により、下記の式に従い求めた。
エステル化度（％）＝〔１−（反応終了後の水酸基価／反応開始前の水酸基価）〕×１００
（３）Ｃ−１〜Ｃ−５は、本発明に係る（ｂ）成分の化合物であり、Ｄ−１，Ｄ−２は既知の燃料油添加剤である。
【００３８】
【表６】
0003985306.tif 000007
【００３９】
【表７】
0003985306.tif 000008
【００４０】
【発明の効果】
本発明の低硫黄軽油用添加剤は、低硫黄軽油の低温特性の改善、すなわち目詰まり点や流動点を下げるとともに、その潤滑性を高め、例えばディーゼルエンジンの燃料油潤滑部分の摩耗を低減させる効果に優れ、しかも、低硫黄軽油に対する溶解性に優れている。
また、この低硫黄軽油用添加剤を含有する燃料油組成物は低温特性に優れ、かつ良好な潤滑性を有している。